(57)【特許請求の範囲】
【請求項１】
デジタル放送を利用して書籍の推薦を行うシステムであって、
送信機から番組データを受信するデジタル放送受信装置と、
前記送信機からテキスト情報である番組情報を取得して、当該番組情報からキーワードを抽出し、当該キーワードに一致する書誌データを取得し、前記送信機およびデータ放送サーバに当該書誌データを送信する書誌サーバと、
前記書誌サーバから取得した前記書誌データを記憶した書誌データ記憶手段と、前記書誌データ記憶手段に記憶された書誌データを、開始予定時刻にアクセス可能に設定するアクセス設定手段と、前記デジタル放送受信装置からの要求に基づいて、前記デジタル放送受信装置から受信した視聴者種別に対応する書籍の書誌データを抽出する書籍特定手段と、を有する前記データ放送サーバと、を備え、
前記送信機は、前記書誌サーバから取得した前記書誌データをテロップデータとして登録するものであり、
前記書籍特定手段は、前記デジタル放送受信装置から受信したチャンネル番号に対応する新聞社が作成元である新聞書評情報が存在する書籍に絞り込んで書誌データを抽出するものであることを特徴とする書籍推薦システム。
【請求項２】
視聴者種別を含む視聴者の会員情報を、視聴者を特定する会員ＩＤと対応付けて記憶する記憶手段と、前記デジタル放送受信装置から受信した会員ＩＤに対応する会員情報を特定する会員情報特定手段と、特定された会員情報を前記デジタル放送受信装置に送信する送信手段と、を有する会員登録サーバを、さらに備えたことを特徴とする請求項１に記載の書籍推薦システム。
【請求項３】
前記デジタル放送受信装置から会員ＩＤ、書籍ＩＤおよび注文要求を受信する受信手段と、前記受信した注文要求に従って、前記受信した会員ＩＤと書籍ＩＤを対応付けて注文情報として登録する注文登録手段と、を有する注文サーバを、さらに備えたことを特徴とする請求項１または請求項２に記載の書籍推薦システム。
【請求項４】
デジタル放送を利用して視聴者に書籍の推薦を行う際に、デジタル放送受信装置からの要求に基づいて、推薦すべき書籍の書誌データを特定するサーバ装置であって、
本放送の内容に関連する書籍の書誌データを記憶した書誌データ記憶手段と、
前記書誌データ記憶手段に記憶された書誌データを、開始予定時刻にアクセス可能に設定するアクセス設定手段と、
デジタル放送受信装置からの要求に基づいて、デジタル放送受信装置から受信した視聴者種別に対応するとともに、前記デジタル放送受信装置から受信したチャンネル番号に対応する新聞社が作成元である新聞書評情報が存在する書籍の書誌データを抽出する書籍特定手段と、
を有することを特徴とするデータ放送サーバ。
【請求項５】
前記書籍特定手段は、さらにデジタル放送受信装置から受信した装丁の情報に対応する書籍に絞り込んで書誌データを抽出するものであることを特徴とする請求項４に記載のデータ放送サーバ。
【請求項６】
請求項４または請求項５に記載のデータ放送サーバとして、コンピュータを機能させるためのプログラム。
【発明の詳細な説明】
【技術分野】
【０００１】
本発明は、デジタルＴＶ放送に連動して、視聴者に対して、ＴＶ番組に関連する書籍を推薦する技術に関する。
【背景技術】
【０００２】
地上波デジタル放送への移行も完了し、デジタルＴＶ放送ではアナログＴＶ放送では行うことができなかった様々なサービスが提供されている。その一つとして、ＴＶ番組に関連した商品情報の提供や、商品の購入手続きを行うサービスが提供されている（例えば、特許文献１〜３参照）。
【先行技術文献】
【特許文献】
【０００３】
【特許文献１】特開２００２−３３０４２２号公報
【特許文献２】特開２００２−１３３２７５号公報
【特許文献３】特開２００１−３０６７８４号公報
【発明の概要】
【発明が解決しようとする課題】
【０００４】
しかしながら、従来のデジタル放送を利用した商品情報提供サービスや、商品情報注文サービスでは、商品として書籍を対象としたサービスが行われていなかった。また、書籍の場合、過去に蓄積された膨大な書籍の書誌データベースが存在するが、有効活用されていない。
【０００５】
そこで、本発明は、膨大な書籍の中から、視聴者に最適な書籍を選択して提示することが可能な書籍推薦システムを提供することを課題とする。
【課題を解決するための手段】
【０００６】
上記課題を解決するため、請求項１の発明では、デジタル放送を利用して書籍の推薦を行うシステムであって、送信機から番組データを受信するデジタル放送受信装置と、前記送信機からテキスト情報である番組情報を取得して、当該番組情報からキーワードを抽出し、当該キーワードに一致する書誌データを取得し、前記送信機およびデータ放送サーバに当該書誌データを送信する書誌サーバと、前記書誌サーバから取得した前記書誌データを記憶した書誌データ記憶手段と、前記書誌データ記憶手段に記憶された書誌データを、開始予定時刻にアクセス可能に設定するアクセス設定手段と、前記デジタル放送受信装置からの要求に基づいて、前記デジタル放送受信装置から受信した視聴者種別に対応する書籍の書誌データを抽出する書籍特定手段と、を有する前記データ放送サーバと、を備え、前記送信機は、前記書誌サーバから取得した前記書誌データをテロップデータとして登録するものであり、前記書籍特定手段は、前記デジタル放送受信装置から受信したチャンネル番号に対応する新聞社が作成元である新聞書評情報が存在する書籍に絞り込んで書誌データを抽出するものであることを特徴とする書籍推薦システムを提供する。
【０００７】
請求項１の発明によれば、データ放送サーバが、本放送の内容に関連する書籍の書誌データを記憶しておき、デジタル放送受信装置から受信した視聴者種別に対応する書籍の書誌データを抽出することにより書籍を特定するようにしたので、視聴者に最適な書籍を選択して提示することが可能となる。
【０００８】
また、請求項２の発明では、請求項１に記載の書籍推薦システムにおいて、視聴者種別を含む視聴者の会員情報を、視聴者を特定する会員ＩＤと対応付けて記憶する記憶手段と、前記デジタル放送受信装置から受信した会員ＩＤに対応する会員情報を特定する会員情報特定手段と、特定された会員情報を前記デジタル放送受信装置に送信する送信手段と、を有する会員登録サーバを、さらに備えたことを特徴とする。
【０００９】
請求項２の発明によれば、視聴者種別を含む視聴者の会員情報を、視聴者を特定する会員ＩＤと対応付けて記憶しておき、デジタル放送受信装置から受信した会員ＩＤに対応する会員情報を特定し、特定された会員情報をデジタル放送受信装置に送信する会員登録サーバを備えたので、デジタル放送受信装置は会員ＩＤさえ有していれば、対応する視聴者種別を取得することが可能となる。
【００１０】
また、請求項３の発明では、請求項１または請求項２に記載の書籍推薦システムにおいて、前記デジタル放送受信装置から会員ＩＤ、書籍ＩＤおよび注文要求を受信する受信手段と、前記受信した注文要求に従って、前記受信した会員ＩＤと書籍ＩＤを対応付けて注文情報として登録する注文登録手段と、を有する注文サーバを、さらに備えたことを特徴とする。
【００１１】
請求項３の発明によれば、デジタル放送受信装置から会員ＩＤ、書籍ＩＤおよび注文要求を受信し、受信した注文要求に従って、受信した会員ＩＤと書籍ＩＤを対応付けて注文情報として登録する注文サーバを備えたので、推薦された書籍をデジタル放送受信装置から注文することが可能となる。
【００１２】
また、請求項４の発明では、デジタル放送を利用して視聴者に書籍の推薦を行う際に、デジタル放送受信装置からの要求に基づいて、推薦すべき書籍の書誌データを特定するサーバ装置であって、本放送の内容に関連する書籍の書誌データを記憶した書誌データ記憶手段と、前記書誌データ記憶手段に記憶された書誌データを、開始予定時刻にアクセス可能に設定するアクセス設定手段と、デジタル放送受信装置からの要求に基づいて、デジタル放送受信装置から受信した視聴者種別に対応するとともに、前記デジタル放送受信装置から受信したチャンネル番号に対応する新聞社が作成元である新聞書評情報が存在する書籍の書誌データを抽出する書籍特定手段と、を有することを特徴とするデータ放送サーバを提供する。
【００１３】
請求項４の発明によれば、データ放送サーバが、本放送の内容に関連する書籍の書誌データを記憶しておき、デジタル放送受信装置から受信した視聴者種別に対応する書籍の書誌データを抽出することにより書籍を特定するようにしたので、視聴者に最適な書籍を選択して提示することが可能となる。また、請求項４の発明によれば、データ放送サーバが、視聴者種別に加えて、視聴者が見ているチャンネルに対応する新聞書評情報が存在する書籍に絞り込むことにより書籍を特定するようにしたので、放送局側は、自身の系列の新聞社が書評を作成している書籍を優先的に選択して提示することが可能となる。
【００１４】
また、請求項５の発明は、請求項４に記載のデータ放送サーバにおいて、前記書籍特定手段は、さらにデジタル放送受信装置から受信した装丁の情報に対応する書籍に絞り込んで書誌データを抽出するものであることを特徴とする。
【００１５】
請求項５の発明によれば、データ放送サーバが、視聴者種別に加えて、装丁の情報に対応する書籍に絞り込むことにより書籍を特定するようにしたので、自身の好みの形態（装丁）の書籍を優先的に選択して提示することが可能となる。
【発明の効果】
【００２０】
本発明によれば、膨大な書籍の中から、視聴者に最適な書籍を選択して提示することが可能となるという効果を奏する。
【図面の簡単な説明】
【００２１】
【図１】本発明の一実施形態に係る書籍推薦システムの構成図である。
【図２】データ放送サーバ３０のハードウェア構成図である。
【図３】デジタル放送受信装置６０のハードウェア構成図である。
【図４】書誌データの項目を示す図である。
【図５】会員登録サーバ４０に登録された会員情報の一例を示す図である。
【図６】放送前の準備を示すシーケンス図である。
【図７】放送時の処理を示すシーケンス図である。
【図８】デジタル放送受信装置６０の画面を示す図である。
【発明を実施するための形態】
【００２２】
＜１．システム構成＞
以下、本発明の好適な実施形態について図面を参照して詳細に説明する。図１は、本発明の一実施形態に係る書籍推薦システムの利用環境を示す構成図である。図１に示す書籍推薦システム１００は、送信機１０、書誌サーバ２０、データ放送サーバ３０、会員登録サーバ４０、注文サーバ５０、デジタル放送受信装置６０、登録端末７０により構成されている。図１においては、説明の便宜上、デジタル放送受信装置６０、登録端末７０をそれぞれ１台ずつ示しているが、現実には、多数のＴＶ受像機６０、登録端末７０が存在し、ネットワークに接続可能になっている。データ放送サーバ３０、会員登録サーバ４０、注文サーバ５０、デジタル放送受信装置６０、登録端末７０はインターネット等の公衆のネットワークに接続されており、互いにデータの送受信が可能となっている。書誌サーバ２０は、送信機１０、データ放送サーバ３０と通信回線によりデータ送受信可能に接続されている。本実施形態では、書誌サーバ２０と、送信機１０、データ放送サーバ３０の間は、ネットワークとは別の通信回線で接続しているが、公衆のネットワークを利用しても良い。
【００２３】
送信機１０は、デジタル放送を行う放送局が管理する番組データの放送設備であり、ＣＰＵ等の処理装置、データやプログラムの記憶装置を備え、番組データを放送アンテナＡ１を介して放送する機能、番組情報を書誌サーバ２０に送信する機能を有している。書誌サーバ２０は、書籍の書誌データを記録した書誌データベースを備え、送信機１０から受信した番組情報を利用して、番組情報に対応する書籍の書誌データを抽出するサーバコンピュータであり、コンピュータに専用のプログラムを組み込むことにより実現される。
【００２４】
データ放送サーバ３０は、番組に関連した放送用書誌データを記憶し、デジタル放送受信装置６０から受信した会員情報に対応する書籍を特定し、対応する書誌データをデジタル放送受信装置６０に送信するサーバコンピュータであり、コンピュータに専用のプログラムを組み込むことにより実現される。会員登録サーバ４０は、会員となった視聴者の情報を記憶し、デジタル放送受信装置６０から受信した会員ＩＤに対応する会員情報を送信するサーバコンピュータであり、コンピュータに専用のプログラムを組み込むことにより実現される。
【００２５】
注文サーバ５０は、購入可能な書籍の書誌データを記憶し、デジタル放送受信装置６０から受信した書籍ＩＤに対応する注文を登録するとともに、登録済みの登録端末７０に注文が行われた旨の通知を行うサーバコンピュータであり、コンピュータに専用のプログラムを組み込むことにより実現される。
【００２６】
デジタル放送受信装置６０は、受信アンテナＡ２を介してデジタルＴＶ放送を受信し、受信により取得した番組の表示を行うとともに、リモコンからの指示に応じてデータの表示を行うものであり、液晶テレビ等の市販のデジタルＴＶ放送受信機で実現される。登録端末７０は、注文サーバ５０から電子メール等によりデータの受信が可能な端末装置であり、スマートフォン、従来型携帯電話機等の携帯型端末や、パソコン等の情報処理端末により実現される。
【００２７】
図２は、データ放送サーバ３０のハードウェア構成図である。データ放送サーバ３０は、汎用のコンピュータで実現することができ、図２に示すように、ＣＰＵ１（CPU: Central Processing Unit）と、コンピュータのメインメモリであるＲＡＭ２（RAM: Random Access Memory）と、ＣＰＵが実行するプログラムやデータを記憶するための大容量の記憶装置３（例えば、ハードディスク、フラッシュメモリ等）と、キーボード、マウス等のキー入力Ｉ／Ｆ（インタフェース）４と、外部装置（データ記憶媒体等）とデータ通信するためのデータ入出力Ｉ／Ｆ（インタフェース）５と、表示装置（液晶ディスプレイ等）に情報を送出するための表示出力Ｉ／Ｆ（インタフェース）６と、ネットワークを介して他のコンピュータとネットワーク通信を行うためのネットワークＩ／Ｆ（インタフェース）７と、を備え、互いにバスを介して接続されている。
【００２８】
データ放送サーバ３０は、図２に示したハードウェア構成に専用のプログラムを搭載することにより実現される。図２の記憶装置３には、ＣＰＵ１を動作させ、コンピュータを、データ放送サーバ３０として機能させるための専用のプログラムが実装されている。この専用のプログラムを実行することにより、ＣＰＵ１は、書誌データ記憶手段に記憶された書誌データを、開始予定時刻にアクセス可能に設定するアクセス設定手段、デジタル放送受信装置からの要求に基づいて、デジタル放送受信装置から受信した視聴者種別に対応する書籍の書誌データを抽出する書籍特定手段、としての機能を実現することになる。また、記憶装置３は、書誌データを記憶して、書誌データ記憶手段としての役割を果たす他、処理に必要な様々なデータを記憶する。
【００２９】
書誌サーバ２０、会員登録サーバ４０、注文サーバ５０も、データ放送サーバ３０と同様、汎用のコンピュータで実現することができる。したがって、書誌サーバ２０、会員登録サーバ４０、注文サーバ５０も、図２に示すようなハードウェア構成であり、ＣＰＵ１が各サーバに特有のプログラムを実行することにより、各サーバの機能を実現する。
【００３０】
図３は、デジタル放送受信装置６０のハードウェア構成図である。図３における構成は、液晶テレビ等の市販のデジタルＴＶそのものである。図３において、Ａ２は受信アンテナ、６１は受信処理部、６２Ａはスピーカ、６２Ｂは表示デバイス、６３は制御手段、６４はＲＡＭ、６５はＲＯＭ、６６はＮＶＲＡＭ、６７はカードインタフェース、６７ａはＢ−ＣＡＳ（登録商標）カード、６８は通信インタフェース、６９はリモコンインタフェース、６９ａはリモコンである。
【００３１】
受信処理部６１は、チューナ、復調器、音声デコーダ、映像デコーダ、データ処理部等を有し、受信アンテナＡ２を経由して受信した番組データの処理が可能となっている。制御手段６３は、リモコン６９ａからリモコンインタフェース６９を介して受信した指示に対する処理や、通信インタフェース６８を介してネットワーク経由で他のサーバとの通信処理等、デジタル放送受信装置６０内の様々なデータ処理を行うものである。ＮＶＲＡＭ６６は不揮発性メモリであり、カードインタフェース６７を介してＢ−ＣＡＳカード６７ａから読み取ったデータや、外部のサーバから受信したデータを記憶する。制御手段６３は、ＲＡＭ６４、ＲＯＭ６５、ＮＶＲＡＭ６６等は、受信処理部６１内のデータ処理部が実行するようにしても良い。
【００３２】
デジタル放送受信装置６０においては、受信アンテナＡ２を介して、受信処理部６１内のチューナが本放送とデータ放送を含む放送波を受信すると、復調を行った後、本放送の映像、音声と、データ放送のデータを分離する。そして音声は音声デコーダによりデコードされ、スピーカ６２Ａから出力される。映像は、映像デコーダによりデコードされ、表示デバイス６２Ｂに表示される。データ放送のデータについては、データ処理部により解釈され、表示デバイス６２Ｂに表示する処理を行う。
【００３３】
Ｂ−ＣＡＳカード６７ａがデジタル放送受信装置６０にセットされると、Ｂ−ＣＡＳカード６７ａに記録されたカードＩＤが、カードインタフェース６７を介して読み込まれ、ＮＶＲＡＭ６６に記録される。本実施形態では、このカードＩＤを会員ＩＤとして利用する。
【００３４】
図４は、書誌サーバ２０が管理する書誌データベースに格納されている書誌データの項目を示す図である。書誌データベース内の書誌データは、膨大な項目を有し、あらゆる観点から書籍を検索可能となっているが、図４においては、本実施形態で用いるものを中心として特にデジタル放送と連携して有用なものだけを示している。図４に示すように、書誌データベース内の書誌データは、地域情報、著者件名、利用対象、判型（サイズ）、装丁、価格、発行年月、新聞書評情報の各書誌項目を有している。
【００３５】
書誌項目のうち、地域情報は地名および地域コードで登録されている。本実施形態では、地域コードとして郵便番号を登録してあるので、デジタル放送受信装置６０から受信した郵便番号を用いて対応する書籍を特定することができる。著者件名は、著者名を表記のゆれを考慮して特定可能とするものであり、ペンネームや外国人のカタカナ表記等、複数の氏名を登録可能となっている。視聴者種別は、様々な区分が設定可能であるが、本実施形態では、幼児、０〜２歳、３〜５歳、小学生、小学生（初）、小学生（中）、小学生（高）、中学生、高校生、教育者、一般、医師、大学生、実務家、研究者の各区分が設定されている。大人については、職種を中心とした区分になっているが、子供については、幼児や小学生という大まかな区分や、漢字のレベル等に応じた、より細分化した０〜２歳、３〜５歳、小学生（初）、小学生（中）、小学生（高）等の区分も設けられている。
【００３６】
判型は、書籍のサイズを示したものであり、大型本、文庫サイズ、新書サイズ等のサイズが登録されている。装丁は、書籍の装丁を示したものであり、ソフトカバー、ハードカバー、文庫本等の装丁が登録されている。新聞書評情報は、新聞社による書評であり、掲載年月日と新聞名が登録されている。
【００３７】
会員登録サーバ４０には、事前に視聴者の会員情報を会員ＩＤと対応付けて登録しておく。会員ＩＤとしては、会員を特定できるものであれば良く、上述のように、Ｂ−ＣＡＳカードのカードＩＤを用いることができる。会員情報としては、会員が書誌データベースの書誌項目のうち、絞り込みに利用したい情報を登録しておく。図５は、会員登録サーバ４０に登録された会員情報の一例を示す図である。視聴者種別については、複数選択可能であり、そのＢ−ＣＡＳカードを利用したデジタル放送受信装置６０の視聴者に応じて選択する。例えば、幼児のいる会社員の家庭では、視聴者種別として「幼児」と「一般」を選択し、会員登録サーバ４０に登録しておく。この場合、「幼児」に代えて、「０〜２歳」、「３〜５歳」などを設定することができる。高校生以下の区分のみを設定しておくことにより、児童に不適切な書籍を表示させないようにすることもできる。
【００３８】
装丁については、様々な区分が設定可能であるが、本実施形態では、ハードカバー、ソフトカバー、文庫が設定されている。装丁を選択することにより、同一内容の書籍であっても、選択した装丁の書籍のみが抽出されることになる。新聞書評情報については、有り・無しのいずれかを選択することができる。新聞書評情報を「有り」に設定することにより、新聞書評情報が存在する書籍のみが抽出されることになる。図５の例では、会員情報として、視聴者種別、装丁、新聞書評情報を示しているが、他の書誌項目を設定することも可能である。他の書誌項目についても、区分を設定しておくことにより、その書誌項目により書籍を絞り込むことが可能となる。
【００３９】
＜２．放送前の準備＞
次に、放送前の準備について、図６のシーケンス図を用いて説明する。
放送前の準備は、送信機１０、書誌サーバ２０、データ放送サーバ３０により行われる。まず、書誌サーバ２０が送信機１０にアクセスし、所定期間の番組情報を取得する（Ｓ１）。番組情報を取得したら、書誌サーバ２０は、取得した番組情報を利用して書誌データベースを検索する（Ｓ２）。番組情報を用いた書誌データベースの検索手法としては、番組情報の形式に応じて公知の様々な手法を採用することができる。本実施形態では、番組情報がテキスト情報であるので、まず、形態素解析等の公知の自然言語処理技術を利用して、キーワードを抽出する。
【００４０】
続いて、書誌サーバ２０は、抽出されたキーワードを用いて、書誌データベースの各項目のデータと比較照合し、一致する書誌データを抽出する。次に、書誌サーバ２０は、抽出された書籍データのうち、タイトル、著者名、出版社、価格を連続する１つのテキストデータの形式に加工し、送信機１０で利用可能な形式に変換して送信機１０に送信する（Ｓ３）。
【００４１】
送信機１０は、書誌サーバ２０から受信したテキストデータを、放送用データの一部であるテロップデータとして登録する（Ｓ４）。
【００４２】
また、書誌サーバ２０は、抽出された書誌データのうち、タイトル、著者名、出版社、利用対象、判型（サイズ）、装丁、価格、発行年月、新聞書評情報、を放送用書誌データとして抽出し、データ放送サーバ３０に送信する（Ｓ５）。
【００４３】
データ放送サーバ３０は、書誌サーバ２０から受信した放送用書誌データを、書誌サーバ２０が管理する記憶部に登録する（Ｓ６）。これで、放送前の準備は終了である。
【００４４】
＜３．放送時の処理＞
次に、放送時の処理について、図７のシーケンス図を用いて説明する。
定められた放送時刻になると、送信機１０は、番組データを放送アンテナＡ１を介して送信する（Ｓ１１）。同様に、定められた放送時刻になると、データ放送サーバ３０は、放送用書誌データをネットワークからアクセス可能な状態に設定する（Ｓ１２）。
【００４５】
送信機１０から放送アンテナＡ１を介して送信された番組データは、受信アンテナＡ２を介してデジタル放送受信装置６０が受信する（Ｓ１３）。番組データを受信すると、デジタル放送受信装置６０では、上述のように、受信処理部６１が所定の処理を行って画面に番組の表示を行う（Ｓ１４）。具体的には、画面全体に本放送の表示を行い、下端にレイオーバーさせてデータ放送であるテロップデータを表示する。テロップデータは、画面右から左に流れるように表示される。このときのデジタル放送受信装置６０の画面の様子を図８（ａ）に示す。図８（ａ）に示すように、本放送表示領域ＨＡが画面上部に大きく設定され、データ放送表示領域ＤＡが画面下部に小さく設定される。本実施形態では、テロップデータをデータ放送表示領域ＤＡの一部として表示しているが、テロップデータを本放送表示領域ＨＡの一部として表示させるようにしても良い。このような表示処理は、市販のデジタル放送受信装置６０の機能により実現される。
【００４６】
視聴者がテロップデータとして表示されている書籍に興味を持った場合、リモコン６９ａ上の所定のボタンを選択する。どのボタンを選択すればデータ放送に移行するかは、リモコン６９ａ上に記載されている。視聴者がデータ放送に移行するためのリモコン６９ａ上のボタンを押すと、リモコン６９ａからの指示を受けたデジタル放送受信装置６０は、会員登録サーバ４０にアクセスする（Ｓ１５）。具体的には、デジタル放送受信装置６０内の制御手段６３が、ＮＶＲＡＭ６６に記憶された会員ＩＤを取得し、会員ＩＤとともに、会員情報の要求を、会員登録サーバ４０に送信する。
【００４７】
会員登録サーバ４０は、デジタル放送受信装置６０から会員ＩＤを受信すると、受信した会員ＩＤに対応する会員情報を抽出し、要求元のデジタル放送受信装置６０に送信する（Ｓ１６）。デジタル放送受信装置６０は、会員登録サーバ４０から会員情報を受信すると、その会員情報と受信しているチャンネル番号とともに、データ放送用データの要求を送信する（Ｓ１７）。
【００４８】
データ放送サーバ３０は、デジタル放送受信装置６０から会員情報を受信すると、会員情報の各項目データに基づいて、書誌データ記憶手段を検索し、該当する放送用書誌データを抽出する。例えば、図５に示したような会員情報の場合、視聴者種別が「幼児」「一般」であり、装丁が「文庫」であり、新聞書評情報が存在する書籍の放送用書誌データのみが抽出されることになる。本実施形態では、新聞書評情報については、受信したチャンネル番号に対応付けられた新聞社（または新聞名）の新聞書評情報が存在する書籍のみを抽出する。テレビ局と新聞社は系列関係になっているので、予め、系列関係にあるテレビ局のチャンネル番号と新聞社（または新聞名）を対応付けてデータ放送サーバ３０内に記憶させておく。そして、デジタル放送受信装置６０は、抽出した放送用書誌データを含むデータ放送用データを、要求元のデジタル放送受信装置６０に送信する（Ｓ１８）。
【００４９】
データ放送サーバ３０からデータ放送用データを受信すると、デジタル放送受信装置６０では、受信処理部６１が所定の処理を行って画面にデータ放送の表示を行う（Ｓ１９）。具体的には、表示されていた本放送を小さな画面として表示し、受信したデータ放送用データに基づくデータ放送を大きな画面として表示する。この際、デジタル放送受信装置６０は、画面のデータ放送表示領域ＤＡにデータ放送サーバ３０から受信したデータ放送用データを表示する処理を行う。
【００５０】
このときのデジタル放送受信装置６０の画面の様子を図８（ｂ）に示す。図８（ｂ）に示すように、本放送表示領域ＨＡが画面左上部に小さく設定され、データ放送表示領域ＤＡが画面左上部を除いた全体に設定される。データ放送表示領域ＤＡの右部分には、データ放送用データ中の放送用書誌データが表示される。
【００５１】
放送用書誌データの表示は、取得したものの中から１件目を表示する。表示される項目は、表紙画像（ＩＭＡＧＥ）、タイトル、著者名、出版社、価格、内容紹介である。データ放送表示領域ＤＡの右下方には、表示されている書誌データの順番と取得された書誌データの総件数が表示されており、取得された書誌データが何件であり、現在表示されている書誌データがそのうちの何番目であるかがわかるようになっている。図８（ｂ）の例では、５件取得された書誌データのうちの１件目が表示されていることを示している。なお、最初から１つの書籍の書誌データを表示するのではなく、タイトル、著者名等一部の項目について一覧表示させた後、各件を選択することにより対応する書籍の書誌データを表示させるような構成としても良い。
【００５２】
また、データ放送表示領域ＤＡの下方には、「注文にすすむ」と表示されたボタンＢ１が用意されている。リモコン６９ａを利用して、このボタンＢ１を選択する指示を行うと、デジタル放送受信装置６０では、制御手段６３が、表示されていた書籍の書籍ＩＤと、その書籍を注文候補とすべき旨の情報を注文サーバ５０に送信する（Ｓ２０）。注文サーバ５０は、書籍ＩＤと、注文候補とすべき旨の情報を受信すると、注文内容を確認するための注文内容確認データを生成し、要求元のデジタル放送受信装置６０に送信する（Ｓ２１）。
【００５３】
データ放送サーバ３０から注文内容確認データを受信すると、デジタル放送受信装置６０では、受信処理部６１が所定の処理を行って画面のデータ放送表示領域ＤＡに、受信した注文内容確認データの表示を行う。このときのデジタル放送受信装置６０の画面の様子を図８（ｃ）に示す。図８（ｃ）に示すように、データ放送表示領域ＤＡには、注文内容確認画面が表示される。データ放送表示領域ＤＡの下方には、「注文確定」と表示されたボタンＢ２が表示される。
【００５４】
リモコン６９ａを利用して、「注文確定」と表示されたボタンＢ２を選択する指示を行うと、デジタル放送受信装置６０は、表示されていた書籍の書籍ＩＤと、注文確定とすべき旨の情報を注文サーバ５０に送信する（Ｓ２２）。注文サーバ５０は、書籍ＩＤと、注文確定とすべき旨の情報を受信すると、書籍ＩＤと会員ＩＤを対応付けて注文情報として登録する。注文情報が登録された場合には、注文サーバは、登録されている通知先に注文が行われた旨を通知する処理を行う（Ｓ２３）。本実施形態では、通知先として電子メールアドレスが登録されており、登録されている電子メールアドレス宛に電子メールを送信する処理を行う。これにより登録端末７０に、電子メールが届くことになる。
【００５５】
以上、本発明の好適な実施形態について説明したが、本発明は上記実施形態に限定されず、種々の変形が可能である。例えば、上記実施形態では、書誌サーバ２０が送信機１０にアクセスして番組情報を取得し、この番組情報を用いて書誌データベースから書誌データを抽出するようにしたが、送信機１０から番組情報を可搬型の記憶媒体に抽出し、これを閲覧したオペレータが自身でキーワードを設定し、書誌データベースから書誌データを抽出するようにしても良い。
【００５６】
また、上記実施形態では、会員情報として、書誌項目のうち、視聴者種別、装丁、新聞書評情報の３つの項目を指定した場合について説明したが、この３つの項目を必ずしも全て指定する必要はなく、いずれか１つ以上の項目の指定であっても良い。もちろん、この３つの項目のうち、いずれか１つを含めば、これ以外の書誌項目と組み合わせて指定しても良い。
【００５７】
また、上記実施形態では、会員情報において、新聞書評情報が「有り」に設定されている場合、受信したチャンネル番号に対応付けられた新聞社の新聞書評情報が存在する書籍のみを抽出するようにしたが、受信したチャンネル番号に関わらず、新聞書評情報が存在する全ての書籍を抽出するようにしても良い。
【００５８】
また、上記実施形態では、視聴者の会員情報を会員登録サーバ４０に登録しておき、デジタル放送受信装置６０から受信した会員ＩＤに対応する会員情報をデジタル放送受信装置６０に送信するようにしたが、会員情報をデジタル放送受信装置６０内に登録しておき、視聴者種別等の会員情報を直接データ放送サーバ３０に送信するようにすれば、会員登録サーバ４０を用いなくても良い。
【産業上の利用可能性】
【００５９】
本発明は、デジタル放送を利用して視聴者に商品を推薦する産業、特に、商品として書籍を推薦する産業に利用可能である。
【符号の説明】
【００６０】
１・・・ＣＰＵ
２・・・ＲＡＭ
３・・・記憶装置
４・・・キー入力Ｉ／Ｆ
５・・・データ入出力Ｉ／Ｆ
６・・・表示出力Ｉ／Ｆ
７・・・ネットワークＩ／Ｆ
１０・・・送信機
２０・・・書誌サーバ
３０・・・データ放送サーバ
４０・・・会員登録サーバ
５０・・・注文サーバ
６０・・・デジタル放送受信装置
７０・・・登録端末
１００・・・書籍推薦システム
【図２】
0005962001.tif 000002
【図３】
0005962001.tif 000003
【図４】
0005962001.tif 000004
【図５】
0005962001.tif 000005
【図６】
0005962001.tif 000006
【図７】
0005962001.tif 000007
【図８】
0005962001.tif 000008
【図１】
0005962001.tif 000009